(57)【要約】      （修正有）【課題】無線通信装置は、高い通信品質が求められるデータと、低い通信品質が許容されるデータとを同時に送信する場合でも、無線帯域の利用効率を十分に高める。【解決手段】クラス判定部１２００は伝送データの優先度を判定する。フレーム識別子付与部１３００は、優先度に対応する優先度優先度識別子等を、伝送データに付与した送信データを生成する。通信手段選択部１４００は、優先度識別子に応じて、送信データを通信手段１１００の少なくとも一部に入力する。通信手段１１００は、送信データ毎に、そのデータ量が所定のデータ量以下であるかを確認し、優先度の高い送信データから優先的に無線フレームに多重する。受信フレーム認識部２２００は、各通信手段２１００からの受信データ毎に伝送データを抽出し、シーケンス番号順に伝送データを出力する。【選択図】図７
2013197719.tif 000002
【特許請求の範囲】
【請求項１】
それぞれ所定の周波数帯域で、対向する装置と無線通信を行う複数の通信手段と、
入力された伝送データの優先度を判定するクラス判定部と、
入力された前記伝送データに対し、前記クラス判定部が判定した優先度に対応する優先度識別子とシーケンス番号を少なくとも付与した送信データを生成するフレーム識別子付与部と、
前記送信データを、前記優先度識別子に対応する優先度に応じて、前記通信手段の少なくとも一部に入力する通信手段選択部と、
を備え、
前記通信手段は、前記通信手段選択部から複数の前記送信データが入力された場合には、前記送信データ毎に、そのデータ量が所定のデータ量以下であるかを確認し、所定のデータ量以下であれば、前記優先度識別子に対応する優先度の高い前記送信データから優先的に、予めフォーマットが定められた無線フレームに多重し、無線伝送路に送信する、
ことを特徴とする無線通信装置。
【請求項２】
前記通信手段選択部は、
前記優先度識別子に対応する優先度が所定の優先度より高い前記送信データについては、前記通信手段の全部に入力し、
前記優先度識別子に対応する優先度が所定の優先度以下の前記送信データについては、前記通信手段の一部に入力する、
ことを特徴とする請求項１に記載の無線通信装置。
【請求項３】
前記通信手段選択部は、前記送信データを、前記優先度識別子に対応する優先度毎に一時保存する、
ことを特徴とする請求項１乃至２のいずれか１項に記載の無線通信装置。
【請求項４】
前記無線通信装置は、前記通信手段選択部に接続された２つの前記通信手段を有する、
ことを特徴とする請求項１乃至３のいずれか１項に記載の無線通信装置。
【請求項５】
それぞれ所定の周波数帯域で、対向する装置と無線通信を行う複数の通信手段と、
前記各通信手段が受信した受信データ毎に、予め定められた無線フレームのフォーマットに従って、出力する伝送データの優先度に対応する優先度識別子、シーケンス番号、及び前記伝送データを抽出し、前記優先度識別子毎に少なくとも前記伝送データ、及びシーケンス番号を一時保存する受信フレーム認識部と、
を備え、
前記受信フレーム認識部は、前記優先度識別子毎に一時保存された前記伝送データを前記シーケンス番号順に出力することを特徴とする無線通信装置。
【請求項６】
前記受信フレーム認識部は、前記対向する装置が送信した、前記伝送データのデータサイズに対応するサイズ識別子を前記受信データから抽出し
前記無線通信装置は、前記優先度識別子、前記サイズ識別子、及び前記シーケンス番号の組み合わせに対応する受信フレーム識別子を、所定の間、記憶する受信フレーム識別子保存テーブルを備え、
前記受信フレーム認識部は、抽出した前記優先度識別子、前記シーケンス番号、前記サイズ識別子を組み合わせた前記受信フレーム識別子を前記受信フレーム識別子保存テーブルに保存し、保存時、既に同じ受信フレーム識別子が、受信フレーム識別子保存テーブルに記憶されていた場合には、前記受信フレーム識別子の前記受信データを破棄することを特徴とする請求項５に記載の無線通信装置。
【請求項７】
前記無線通信装置は、前記受信フレーム認識部に接続された２つの前記通信手段を有する、ことを特徴とする請求項５乃至６のいずれか１項に記載の無線通信装置。
【請求項８】
無線通信装置とそれに対向する無線通信装置とが、複数の周波数帯域で無線通信をする無線通信システムであって、
前記無線通信装置は、請求項１乃至４のいずれか１項に記載の無線通信装置であり、
前記無線通信装置に対向する前記無線通信装置は、請求項５乃至７のいずれか１項に記載の無線通信装置である、
ことを特徴とする、無線通信システム。
【請求項９】
無線通信装置とそれに対向する無線通信装置とが、１つの周波数帯域で無線通信をする無線通信システムであって、
前記無線通信装置は、請求項１乃至４のいずれか１項に記載の無線通信装置であり、
前記無線通信装置に対向する前記無線通信装置は、請求項５乃至７のいずれか１項に記載の無線通信装置であり、
前記無線通信装置と、前記無線通信装置に対向する前記無線通信装置とは、直交偏分波器を経由して無線通信を行う、
ことを特徴とする、無線通信システム。
【請求項１０】
無線通信装置とそれに対向する無線通信装置とが、無線通信をする無線通信方法であって、
前記無線通信装置は、それぞれ所定の周波数帯域で、対向する装置と無線通信を行う複数の通信手段を備えた前記無線通信装置であって、
入力された伝送データの優先度を判定し、
入力された前記伝送データに対し、前記クラス判定部が判定した優先度に対応する優先度識別子とシーケンス番号を少なくとも付与した送信データを生成し、
前記送信データを、前記優先度識別子に対応する優先度に応じて、前記通信手段の少なくとも一部に入力し、
前記通信手段は、前記通信手段選択部から複数の前記送信データが入力された場合には、前記送信データ毎に、そのデータ量が所定のデータ量以下であるかを確認し、所定のデータ量以下であれば、前記優先度識別子に対応する優先度の高い前記送信データから優先的に、予めフォーマットが定められた無線フレームに多重し、無線伝送路に送信し、
前記無線通信装置に対向する前記無線通信装置は、それぞれ所定の周波数帯域で、対向する装置と無線通信を行う複数の通信手段を備えた前記無線通信装置であって、
前記各通信手段が受信した受信データ毎に、予め定められた無線フレームのフォーマットに従って、出力する伝送データの優先度に対応する優先度識別子、シーケンス番号、及び前記伝送データを抽出し、前記優先度識別子毎に少なくとも前記伝送データ、及びシーケンス番号を一時保存し、
前記優先度識別子毎に一時保存された前記伝送データを前記シーケンス番号順に出力する、
ことを特徴とする無線通信方法。
【発明の詳細な説明】
【技術分野】
【０００１】
本発明は、無線通信装置、無線通信システム、無線通信方法に関し、特に、通信品質の異なるデータを送受信する無線通信装置、無線通信システム、無線通信方法に関する。
【背景技術】
【０００２】
一般的に、送受信機を２つ備え、各送受信機（以下、通信手段という）は、それぞれ異なる周波数帯域で、対向する装置と無線通信を行う無線通信装置（以下、２＋０構成の無線通信装置という）が知られている。この２＋０構成の無線通信装置は、２つの異なる周波数帯域の内、通信環境の良い周波数帯域を選択し、その周波数帯域にて通信を行う。その為、２＋０構成の無線通信装置は、１つの周波数帯域しか利用しない無線通信装置よりも大きな伝送容量を確保することが可能となる。
【０００３】
しかし、２＋０構成の無線通信装置は、データの通信品質、特に音声データのように、リアルタイムに送信先まで確実に伝送することが必要なデータの通信品質を保つ能力が低いという課題があった。その理由として、２＋０構成の無線通信装置は、対向する無線通信装置にデータを伝送するのに、複数の周波数帯域を用いて無線通信を行うのではなく、選択した１つの周波数帯域で無線通信を行うからである。もし、選択した周波数帯域の通信環境が悪化すると、２＋０構成の無線通信装置は、簡単にデータ損失が発生してしまう。特に音声データのように、リアルタイムに送信先まで確実に伝送することが必要なデータ（以下、高い通信品質が求められるデータという）の場合には、わずかなデータ損失が発生しただけでもその影響は顕著となる。
【０００４】
上述の課題を解決することができる無線通信装置が、例えば、特許文献１に開示されている。
【０００５】
特許文献１の無線通信装置は、データ取得手段と、通信品質決定手段と、通信手段と、位置情報取得手段とを備える。データ取得手段は、データを取得する。また、通信品質決定手段は、取得したデータから要求される通信品質を決定する。さらに、通信手段は、決定された通信品質が実現できるようにデータを無線通信する。
【０００６】
特許文献１の無線通信装置は、例えば、以下のように動作する。
【０００７】
まず、品質データを含むデータを取得する。次に、通信品質決定手段は、取得した品質データから要求される通信品質を決定する。そして、通信手段は、決定された通信品質が実現できるように、その通信品質に対応した通信手段７と通信方式、通信パケットの変換、分割等を求め、データを無線通信する。特許文献１の無線通信装置は、複数の通信手段を有し、決定された通信品質に応じて、複数の通信手段のうちの少なくとも一部を選択されるようにしてもよい。
【０００８】
上述の構成や動作により、特許文献１の無線通信装置は、データの通信品質に応じて、複数の通信手段（周波数帯域）を用いるので、高い通信品質が求められるデータであってもその通信品質を保つ能力を２＋０構成の無線通信装置より高めることが可能となる。
【先行技術文献】
【特許文献】
【０００９】
【特許文献１】特開２０１１−００９９７５号公報
【発明の概要】
【発明が解決しようとする課題】
【００１０】
しかし、特許文献１の無線通信装置は、高い通信品質が求められるデータと、低い通信品質が許容されるデータとを、同じ無線フレーム内で（以下、「同時に」という）送信する場合には、無線帯域の利用効率を十分に高めていない問題があった。
【００１１】
上述の問題が発生する理由を以下に説明する。
【００１２】
まず、特許文献１には、入力されたデータ毎に、その通信品質に応じて通信手段７等を選択して送信する無線通信装置が記載されている。しかし、特許文献１には、高い通信品質が求められるデータ（以下、高品質データという）と、低い通信品質が許容されるデータ（以下、低品質データという）とを、同じ通信手段７で送信する為の特段の記載や示唆がない。その為、特許文献１の無線通信装置は、高品質データと低品質データとが同時に入力された場合には、高品質データと低品質データを異なる通信手段７を用いて送信するものと解釈される。
【００１３】
また、特許文献１の無線通信装置は、「通信の要求品質を満たし、高信頼に無線通信する」という効果を奏する為には、無線干渉が生じないよう、各通信手段７は、異なる周波数帯域でデータを送信するものと解釈される。
【００１４】
その結果、特許文献１の無線通信装置は、高品質データのデータ量が少なく、僅かな間だけ無線通信する場合であっても、高品質データ通信用の周波数帯域と、低品質データ通信用の周波数帯域をそれぞれ確保してしまう。通信品質の異なるデータ毎に周波数帯域をそれぞれ確保してしまうので、特許文献１の無線通信装置は、無線帯域の利用効率を十分に高めていなかった。
【００１５】
本発明は、上記課題を解決する無線通信装置、無線通信システム、無線通信方法を提供することを目的とする。
【課題を解決するための手段】
【００１６】
上記目的を達成するために、本発明の無線通信装置は、それぞれ所定の周波数帯域で、対向する装置と無線通信を行う複数の通信手段と、入力された伝送データの優先度を判定するクラス判定部と、入力された前記伝送データに対し、前記クラス判定部が判定した優先度に対応する優先度識別子とシーケンス番号を少なくとも付与した送信データを生成するフレーム識別子付与部と、前記送信データを、前記優先度識別子に対応する優先度に応じて、前記通信手段の少なくとも一部に入力する通信手段選択部と、
を備え、
前記通信手段は、前記通信手段選択部から複数の前記送信データが入力された場合には、前記送信データ毎に、そのデータ量が所定のデータ量以下であるかを確認し、所定のデータ量以下であれば、前記優先度識別子に対応する優先度の高い前記送信データから優先的に、予めフォーマットが定められた無線フレームに多重し、無線伝送路に送信する。
【００１７】
上記目的を達成するために、本発明の無線通信装置は、それぞれ所定の周波数帯域で、対向する装置と無線通信を行う複数の通信手段と、前記各通信手段が受信した受信データ毎に、予め定められた無線フレームのフォーマットに従って、出力する伝送データの優先度に対応する優先度識別子、シーケンス番号、及び前記伝送データを抽出し、前記優先度識別子毎に少なくとも前記伝送データ、及びシーケンス番号を一時保存する受信フレーム認識部と、を備え、
前記受信フレーム認識部は、前記優先度識別子毎に一時保存された前記伝送データを前記シーケンス番号順に出力する。
【００１８】
上記目的を達成するために、本発明の無線通信システムは、無線通信装置とそれに対向する無線通信装置とが、複数の周波数帯域で無線通信をする無線通信システムであって、
前記無線通信装置は、それぞれ所定の周波数帯域で、対向する装置と無線通信を行う複数の通信手段と、入力された伝送データの優先度を判定するクラス判定部と、入力された前記伝送データに対し、前記クラス判定部が判定した優先度に対応する優先度識別子とシーケンス番号を少なくとも付与した送信データを生成するフレーム識別子付与部と、前記送信データを、前記優先度識別子に対応する優先度に応じて、前記通信手段の少なくとも一部に入力する通信手段選択部と、
を備え、
前記通信手段は、前記通信手段選択部から複数の前記送信データが入力された場合には、前記送信データ毎に、そのデータ量が所定のデータ量以下であるかを確認し、所定のデータ量以下であれば、前記優先度識別子に対応する優先度の高い前記送信データから優先的に、予めフォーマットが定められた無線フレームに多重し、無線伝送路に送信し、
前記無線通信装置に対向する前記無線通信装置は、それぞれ所定の周波数帯域で、対向する装置と無線通信を行う複数の通信手段と、前記各通信手段が受信した受信データ毎に、予め定められた無線フレームのフォーマットに従って、出力する伝送データの優先度に対応する優先度識別子、シーケンス番号、及び前記伝送データを抽出し、前記優先度識別子毎に少なくとも前記伝送データ、及びシーケンス番号を一時保存する受信フレーム認識部と、を備え、
前記受信フレーム認識部は、前記優先度識別子毎に一時保存された前記伝送データを前記シーケンス番号順に出力する。
【００１９】
上記目的を達成するために、本発明の無線通信方法は、無線通信装置とそれに対向する無線通信装置とが、無線通信をする無線通信方法であって、
前記無線通信装置は、それぞれ所定の周波数帯域で、対向する装置と無線通信を行う複数の通信手段を備えた前記無線通信装置であって、
入力された伝送データの優先度を判定し、
入力された前記伝送データに対し、前記クラス判定部が判定した優先度に対応する優先度識別子、前記伝送データのデータサイズに対応するサイズ識別子、及びシーケンス番号を付与した送信データを生成し、
前記送信データを、前記優先度識別子に対応する優先度に応じて、前記通信手段の少なくとも一部に入力し、
前記通信手段は、前記通信手段選択部から複数の前記送信データが入力された場合には、前記送信データ毎に、そのデータ量が所定のデータ量以下であるかを確認し、所定のデータ量以下であれば、前記優先度識別子に対応する優先度の高い前記送信データから優先的に、予めフォーマットが定められた無線フレームに多重し、無線伝送路に送信し、
前記無線通信装置に対向する前記無線通信装置は、それぞれ所定の周波数帯域で、対向する装置と無線通信を行う複数の通信手段を備えた前記無線通信装置であって、
前記各通信手段が受信した受信データ毎に、予め定められた無線フレームのフォーマットに従って、出力する伝送データの優先度に対応する優先度識別子、前記伝送データのデータサイズに対応するサイズ識別子、シーケンス番号、及び前記伝送データを抽出し、前記優先度識別子毎に少なくとも前記伝送データ、及びシーケンス番号を一時保存し、
前記優先度識別子毎に一時保存された前記伝送データを前記シーケンス番号順に出力する。
【発明の効果】
【００２０】
本発明によれば、無線通信装置は、高い通信品質が求められるデータと、低い通信品質が許容されるデータとを同時に送信する場合でも、無線帯域の利用効率を十分に高めることができる。
【図面の簡単な説明】
【００２１】
【図１】本発明の第１の実施の形態における無線通信装置を適用した無線通信システムの構成例を示す図である。
【図２】本発明の第１の実施の形態における無線通信装置の受信フレーム認識部１５３の構成例を示す図である。
【図３】本発明の第１の実施の形態における無線通信装置の送信部１０１の動作を示す図である。
【図４】本発明の第１の実施の形態における無線通信装置の受信部１５０の動作を示す図である。
【図５】本発明の第２の実施の形態における無線通信装置を適用した無線通信システムの構成例を示す図である。
【図６】本発明の第３の実施の形態における無線通信装置の構成例を示す図である。
【図７】本発明の第４の実施の形態における無線通信装置を適用した無線通信システムの構成例を示す図である。
【発明を実施するための形態】
【００２２】
次に本発明の実施形態について、図面を参照して詳細に説明する。
【００２３】
［第１の実施の形態］
［構成の説明］
図１は、本発明の第１の実施の形態における無線通信装置を適用した無線通信システムの構成例を示す図である。また、図２は、本発明の第１の実施の形態における無線通信装置の受信フレーム認識部１５３の構成例を示す図である。
【００２４】
（１）第１の実施の形態における無線通信装置を適用した無線通信システムの構成
図１に示されるように、第１の実施の形態における無線通信装置を適用した無線通信システムは、２つの同じ無線通信装置から構成される。図１では、２つの同じ無線通信装置として、無線装置Ａ１００と無線装置Ｂ２００が図示されている。
【００２５】
また、各無線通信装置は、異なる周波数帯域の無線伝送路を介し、接続される。
【００２６】
（２）第１の実施の形態における無線通信装置の構成
各無線通信装置は、送信部１０１と、受信部１５０から構成される。
【００２７】
（３）送信部１０１の構成
まず、送信部１０１の構成から説明する。
【００２８】
送信部１０１は、図１に示されるように、クラス判定部１０２と、フレーム識別子生成部１０３と、フレーム識別子付与部１０４と、通信手段選択部１０９と、無線送信部１０７と、無線送信部１０８とから構成される。また、通信手段選択部１０９は、ＦIＦＯ（first-in first-out）型のバッファである高優先度キュー１０５及び、低優先度キュー１０６を備える。
【００２９】
クラス判定部１０２とフレーム識別子付与部１０４は、有線回線でＬＡＮ等のネットワーク網と接続される。また、クラス判定部１０２はフレーム識別子生成部１０３に接続され、フレーム識別子生成部１０３はフレーム識別子付与部１０４に接続される。
【００３０】
さらに、フレーム識別子付与部１０４は、通信手段選択部１０９に接続される。詳細には、フレーム識別子付与部１０４は、通信手段選択部１０９の高優先度キュー１０５と低優先度キュー１０６に接続される。
【００３１】
また、通信手段選択部１０９は、無線送信部１０７と無線送信部１０８に接続される。詳細には、通信手段選択部１０９の高優先度キュー１０５は、無線送信部１０７と無線送信部１０８に接続され、低優先度キュー１０６は無線送信部１０８に接続される。なお、図１に図示していないが、低優先度キュー１０６は、無線送信部１０７と無線送信部１０８に接続してもよい。
【００３２】
なお、クラス判定部１０２、フレーム識別子生成部１０３、フレーム識別子付与部１０４、通信手段選択部１０９は、例えば、無線通信装置に実装されたＤＳＰ（Digital Signal Processor）やＣＰＵ（Central Processing Unit）等の演算処理装置を用いて実現される。さらに、クラス判定部１０２、フレーム識別子生成部１０３、フレーム識別子付与部１０４、通信手段選択部１０９は、ＦＰＧＡ（Field-Programmable Gate Array）や電子回路を用いて実現してもよい。無線送信部１０７、及び無線送信部１０８は、電子回路を用いて実現される。
【００３３】
（４）受信部１５０の構成
次に、受信部１５０の構成を説明する。
【００３４】
受信部１５０は、無線受信部１５１と、無線受信部１５２と、受信フレーム認識部１５３と、受信フレーム識別子保存テーブル１５４と、フレーム識別子削除部１５５から構成される。また、受信フレーム認識部１５３は、図２の通り、識別子重複判定部５１と、シーケンス制御部５２と、バッファ５３を備える。
【００３５】
無線受信部１５１と無線受信部１５２は、受信フレーム認識部１５３の識別子重複判定部５１と接続される。また、受信フレーム認識部１５３の識別子重複判定部５１は、受信フレーム識別子保存テーブル１５４とシーケンス制御部５２と接続される。さらに、受信フレーム認識部１５３のシーケンス制御部５２は、フレーム識別子削除部１５５と、バッファ５３とに接続される。また、フレーム識別子削除部１５５は、有線回線でＬＡＮ等のネットワーク網と接続される。
【００３６】
なお、無線受信部１５１、無線受信部１５２、フレーム識別子削除部１５５、受信フレーム認識部１５３の識別子重複判定部５１、及びシーケンス制御部５２は、例えば、無線通信装置に実装されたＤＳＰやＣＰＵ等の演算処理装置を用いて実現される。また、無線受信部１５１、無線受信部１５２、フレーム識別子削除部１５５、受信フレーム認識部１５３の識別子重複判定部５１、及びシーケンス制御部５２は、ＦＰＧＡや電子回路を用いて実現してもよい。受信フレーム識別子保存テーブル１５４は、ＲＡＭ等の記憶装置を用いて実現される。
【００３７】
次に、第１の実施の形態における無線通信装置の機能を説明する。
【００３８】
（５）送信部１０１を構成する各部位の機能
まず、送信部１０１を構成する各部位の機能を説明する。
【００３９】
（５−１）クラス判定部１０２の機能
クラス判定部１０２は、入力される伝送データの優先度の高低を判定する。具体的には、クラス判定部１０２は、伝送データに含まれる優先度を示すビット列（以下、優先度情報ビットという）が表す数が所定の閾値より高い値かどうかで、伝送データの優先度の高低を判定する。所定の閾値は、本実施の形態のユーザがクラス判定部１０２に設定する値である。例えば、本実施形態のユーザが所定の閾値を３と設定した場合には、クラス判定部１０２は、閾値３より大きい値の優先度情報ビットを含む伝送データを優先度高のデータと判定する。
【００４０】
クラス判定部１０２は、伝送データの優先度の高低を判定した結果と伝送データとを、優先度クラス判定データとして出力する。
【００４１】
（５−２）フレーム識別子生成部１０３の機能
フレーム識別子生成部１０３は、入力される伝送データのデータサイズに対応するサイズ識別子、および伝送データの優先度の高低に対応する優先度識別子を、各々ビット列として生成する。また、フレーム識別子生成部１０３は、シーケンス番号を生成する。具体的には、フレーム識別子生成部１０３は、優先度クラス判定データが入力される度に、初期値から１つずつインクリメントした値に対応するビット列をシーケンス番号とする。初期値は、本実施の形態のユーザがフレーム識別子生成部１０３に設定する値であり、０であってもよい。さらに、フレーム識別子生成部１０３は、優先度識別子、サイズ識別子、及びシーケンス番号を順に組み合わせたフレーム識別子をフレーム識別子データとして出力する。
【００４２】
（５−３）フレーム識別子付与部１０４の機能
フレーム識別子付与部１０４は、入力された伝送データにフレーム識別子データを付与して、フレーム識別子付与データとして出力する。
【００４３】
（５−４）通信手段選択部１０９の機能
通信手段選択部１０９は、入力されたフレーム識別子付与データの優先度識別子を確認し、優先度低の場合は、フレーム識別子付与データを低優先度キューに格納し、優先度高の場合は、フレーム識別子付与データを高優先度キューに格納する。さらに、通信手段選択部１０９は、高優先度キュー、低優先度キュー毎にフレーム識別子付与データを出力する。
【００４４】
（５−５）無線送信部１０７、無線送信部１０８の機能
無線送信部１０７と無線送信部１０８は、入力されるフレーム識別子付与データがそれぞれ所定のデータ量以下である場合に、優先度の高いデータから優先的に、予めフォーマットが定められた無線フレームに多重する。ここで上述の所定のデータ量とは、本実施の形態のユーザが、フレーム識別子付与データ毎に無線送信部１０７と無線送信部１０８に設定する値である。また、無線送信部１０７と無線送信部１０８は、多重した無線フレームに、公知の変調・符号化処理を行い、無線信号として出力する。
【００４５】
（６）受信部１５０を構成する各部位の機能
次に、受信部１５０を構成する各部位の機能について説明する。
【００４６】
（６−１）無線受信部１５１と無線受信部１５２の機能
無線受信部１５１と無線受信部１５２は、入力された無線信号に対し、公知の復調・復号処理を行い、フレームデータとして出力する。
【００４７】
（６−２）受信フレーム認識部１５３（識別子重複判定部５１）の機能
受信フレーム認識部１５３の識別子重複判定部５１は、入力されるフレームデータから優先度識別子、サイズ識別子、シーケンス番号、さらに伝送データを抽出し、出力する。以下、優先度識別子、サイズ識別子、及びシーケンス番号を識別子情報という。また、識別子重複判定部５１は、出力先が同じ識別子情報を持っていた時には、伝送データを破棄する。
【００４８】
（６−３）受信フレーム識別子保存テーブル１５４の機能
ここで、受信フレーム識別子保存テーブル１５４は、入力される識別子情報を所定の時間、記憶する。所定の時間とは、本実施の形態のユーザが、受信フレーム識別子保存テーブル１５４に設定する値である。
【００４９】
（６−４）受信フレーム認識部１５３（シーケンス制御部５２）の機能
シーケンス制御部５２は、入力される伝送データと識別子情報を優先度識別子毎に一時保存する。シーケンス制御部５２は、入力される識別子情報から優先度識別子とシーケンス番号を認識する。シーケンス制御部５２は、一時保存された伝送データと識別子情報をシーケンス番号順に並び替え、フレームデータとして出力する。
【００５０】
（６−５）フレーム識別子削除部１５５の機能
フレーム識別子削除部１５５は、入力されるフレームデータから識別子情報を削除し、伝送データとして出力する。
【００５１】
［無線通信装置の動作の説明］
図３は、本発明の第１の実施の形態における無線通信装置の送信部１０１の動作を示す図である。図４は、本発明の第１の実施の形態における無線通信装置の受信部１５０の動作を示す図である。
【００５２】
送信部１０１と受信部１５０は、それぞれ独立に動作する。
【００５３】
（７）送信部１０１の送信動作
以下に、送信部１０１の送信動作を説明する。
【００５４】
まず、クラス判定部１０２は、図３に示す通り、ネットワーク網から伝送データＤ１０１を受信する（Ｓ１０１）。
【００５５】
ここで、伝送データＤ１０１は、ＩＥＥＥ８０２．１ｐで標準化されているデータ等、伝送データの優先度を示すビット列、すなわち、優先度情報ビットを含むデータである。伝送データＤ１０１が、ＩＥＥＥ８０２．１ｐで標準化されているデータである場合、ＭＡＣフレームのＶＬＡＮタグ内「ユーザクラス」フィールドの３ビットが優先度情報ビットである。なお、「ユーザクラス」フィールドの３ビットは０から７の値で表せ、７が最も優先度が高い。
【００５６】
次に、クラス判定部１０２は、受信した伝送データＤ１０１の優先度の高低を判定する。（Ｓ１０２）。次に、クラス判定部１０２は、伝送データＤ１０１の優先度の高低を判定した結果と伝送データＤ１０１を、優先度クラス判定データＤ１０２として、フレーム識別子生成部１０３に送信する。
【００５７】
フレーム識別子生成部１０３は、優先度クラス判定データＤ１０２を受信し、優先度クラス判定データＤ１０２に含まれる伝送データのデータサイズをサイズ識別子とする。また、フレーム識別子生成部１０３は、優先度クラス判定データＤ１０２に含まれる伝送データＤ１０１の優先度の高低を優先度識別子とする。さらに、フレーム識別子生成部１０３は、シーケンス番号を生成する。そして、フレーム識別子生成部１０３は、サイズ識別子、優先度識別子、及びシーケンス番号を順に組み合わせたフレーム識別子をフレーム識別子データＤ１０３として、フレーム識別子付与部１０４に送信する（Ｓ１０３）。
【００５８】
次に、フレーム識別子付与部１０４は、フレーム識別子生成部１０３からフレーム識別子データＤ１０３を受信し、さらに、伝送データＤ１０１をネットワーク網から受信する。そして、フレーム識別子付与部１０４は、伝送データＤ１０１にフレーム識別子データＤ１０３を付与して、フレーム識別子付与データＤ１０４として通信手段選択部１０９に送信する（Ｓ１０４）。
【００５９】
通信手段選択部１０９は、受信したフレーム識別子付与データＤ１０４のフレーム識別子データＤ１０３に含まれる優先度識別子を確認し、優先度が高だった場合には、フレーム識別子付与データＤ１０４を高優先度キュー１０５に格納する。優先度が低だった場合には、通信手段選択部１０９は、フレーム識別子付与データＤ１０４を低優先度キュー１０６に格納する（Ｓ１０５）。次に、通信手段選択部１０９は、高優先度キュー１０５から取り出したフレーム識別子付与データＤ１０４をデータＤ１０５、データＤ１０６とし、データＤ１０５を無線送信部１０７へ送信し、データＤ１０６を無線送信部１０８に送信する。また、通信手段選択部１０９は、低優先度キュー１０６から取り出したフレーム識別子付与データＤ１０４をデータＤ１０７として、無線送信部１０８に送信する。
【００６０】
なお、低優先度キュー１０６が無線送信部１０７に接続されている場合には、図中にないが、通信手段選択部１０９は、低優先度キュー１０６から取り出したフレーム識別子付与データＤ１０４をデータＤ１０８として、無線送信部１０７に送信するとしてもよい。さらに、通信手段選択部１０９は、公知の機能により通信環境の状況を確認し、無線送信部１０７若しくは、無線送信部１０８のどちらかにフレーム識別子付与データＤ１０４を送信するようにしてもよい。
【００６１】
次に、無線送信部１０８は、受信したデータＤ１０６とＤ１０７毎に、そのデータ量が所定のデータ量以下であるかを確認し、所定のデータ量以下であれば、優先度識別子に対応する優先度の高いデータから優先的に無線フレームに多重する（Ｓ１０６）。無線送信部１０８は、多重した無線フレームに公知の変調・符号化処理を行い、無線信号Ｄ３０２として無線伝送路に送信する（Ｓ１０７）。
【００６２】
なお、上述の所定のデータ量とは、本実施の形態のユーザが、データＤ１０６とデータＤ１０７毎に無線送信部１０７に設定する値である。
【００６３】
無線送信部１０８は、データＤ１０６、データＤ１０７のどちらか一方が入力された場合には、入力されたデータに対し、公知の変調・符号化処理を行い、無線信号Ｄ３０２として無線伝送路に送信する。同様に、無線送信部１０７も、無線送信部１０８と同じ動作を行う。すなわち、無線送信部１０７は、入力されたデータＤ１０５と図中にないＤ１０８毎に、そのデータ量が所定のデータ量以下であるかを確認し、所定のデータ量以下であれば、優先度識別子に対応する優先度の高いデータから優先的に無線フレームに多重する（Ｓ１０６）。無線送信部１０７は、多重した無線フレームに公知の変調・符号化処理を行い、無線信号Ｄ３０１として無線伝送路に送信する（Ｓ１０７）。
【００６４】
なお、上述の所定のデータ量とは、本実施の形態のユーザが、データＤ１０５とデータＤ１０８毎に無線送信部１０７に設定する値である。
【００６５】
無線送信部１０７は、データＤ１０５、データＤ１０８のどちらか一方が入力された場合には、入力されたデータに対し、公知の変調・符号化処理を行い、無線信号Ｄ３０１として無線伝送路に送信する。
【００６６】
（８）受信部１５０の受信動作
次に、受信部１５０の動作を説明する。
【００６７】
図４に示す通り、受信部１５０の無線受信部１５１と無線受信部１５２は、対向する無線通信装置から無線信号Ｄ３０３と無線信号Ｄ３０４を受信する（Ｓ２０１）。
【００６８】
次に、無線受信部１５１と無線受信部１５２は、受信した無線信号Ｄ３０３と無線信号Ｄ３０４に対し、公知の復調・復号処理を行い、それぞれフレームデータＤ１５１とデータＤ１５２として、受信フレーム認識部１５３の識別子重複判定部５１に送信する（Ｓ２０２）。
【００６９】
次に、識別子重複判定部５１は、無線受信部１５１と無線受信部１５２から受信したフレームデータ毎に、優先度識別子、シーケンス番号、サイズ識別子、及び伝送データＤ５１を、予め定められた無線フレームのフォーマットに従って、抽出する。また、識別子重複判定部５１は、抽出した優先度識別子、シーケンス番号、サイズ識別子を識別子情報Ｄ１５３とし、識別子情報Ｄ１５３を受信フレーム識別子保存テーブル１５４に保存する（Ｓ２０３）。同じ識別子情報Ｄ１５３が、既に受信フレーム識別子保存テーブル１５４に記憶されていた場合には、識別子重複判定部５１は、重複して受信したデータとして、伝送データＤ５１を破棄する（Ｓ２０４）。識別子重複判定部５１は、破棄しない場合には、伝送データＤ５１と識別子情報Ｄ１５３をシーケンス制御部５２へ送付する。
【００７０】
識別子重複判定部５１は、受信したフレームデータ毎に、以上の抽出・出力動作を、例えば、以下のように行ってもよい。
（ａ）まず、識別子重複判定部５１は、公知の機能により、受信したフレームデータの先頭位置を認識する。
（ｂ）次に、識別子重複判定部５１は、受信したフレームデータの先頭位置にあるフレーム識別子を、受信したフレームデータから分離する。
（ｃ）さらに、識別子重複判定部５１は、分離したフレーム識別子を、識別子情報Ｄ１５３とする。
（ｄ）また、識別子重複判定部５１は、フレーム識別子のフォーマットに従って、識別子情報Ｄ１５３からサイズ識別子を認識する。
（ｅ）さらに、識別子重複判定部５１は、フレーム識別子の後のフレームデータの先頭を、新たなフレームデータの先頭位置とする。
（ｆ）次に、識別子重複判定部５１は、新たなフレームデータの先頭位置から、サイズ識別子に対応するデータサイズ分のデータを分離し、伝送データＤ５１とする。
（ｇ）そして、識別子重複判定部５１は、識別子情報Ｄ１５３を受信フレーム識別子保存テーブル１５４に保存する。
（ｈ）保存時、同じ識別子情報Ｄ１５３が、既に受信フレーム識別子保存テーブル１５４に記憶されていた場合には、識別子重複判定部５１は、重複して受信したデータとして、伝送データＤ５１を破棄する。
（ｉ）識別子重複判定部５１は、破棄しない場合には、識別子情報Ｄ１５３と共に、伝送データＤ５１をシーケンス制御部５２へ送付する。
（ｊ）識別子重複判定部５１は、伝送データＤ５１を分離した後の残りのデータを、新たなフレームデータとして、その先頭位置から上述の抽出・出力動作を行う。
【００７１】
上述の抽出動作は、残りのデータがなくなるまで繰り返される。
【００７２】
次に、シーケンス制御部５２は、受信する伝送データＤ５１と識別子情報Ｄ１５３を、優先度識別子毎にバッファ５３に一時保存する。この際、シーケンス制御部５２は、識別子情報Ｄ１５３から優先度識別子とシーケンス番号を認識する。なお、バッファ５３に一時保存するのは、本来先にネットワーク網に出力されるべきデータが無線伝送路上で伝送遅延してしまった場合でも、シーケンス順に並びかえられるようにする為である。
【００７３】
シーケンス制御部５２は、バッファ５３に一時保存された、伝送データＤ５１と識別子情報Ｄ１５３を優先度識別子毎にシーケンス番号順に並び替え、フレームデータＤ１５４として、フレーム識別子削除部１５５へ出力する。
【００７４】
なお、シーケンス制御部５２は、上述の出力動作を１無線フレームに１度実施してもよいし、優先度識別子によっては、複数の無線フレーム毎に実施するようにしてもよい。
【００７５】
最後に、フレーム識別子削除部１５５は、受信したフレームデータＤ１５４から識別子情報Ｄ１５３を削除し、伝送データＤ１５５として、ネットワーク網に出力する。
【００７６】
［効果の説明］
本実施の形態の無線通信装置は、高い通信品質が求められるデータと、低い通信品質が許容されるデータとを同時に送信する場合でも、無線帯域の利用効率を十分に高めることができる。本実施の形態の無線通信装置は、高い通信品質が求められるデータが所定のデータ量より少なければ、高い通信品質が求められるデータと低い通信品質が許容されるデータを１つの無線フレームに多重し、１つの周波数帯域で送信するからである。
【００７７】
なお、本実施の形態の無線通信装置は、高い通信品質が要求される優先度の高いデータについては、２つの無線伝送路で送信する為、特許文献１と同様にデータ損失を抑えることができる。また、本実施の形態の無線通信装置は、低い通信品質でもよい優先度の低いデータについては、無線伝送路を振り分けて送信する為、特許文献１と同様に無線帯域の利用効率を高めることができる。
【００７８】
［第２の実施の形態］
次に、本発明の第２の実施の形態について説明する。
【００７９】
［構成の説明］
図５は、本発明の第２の実施の形態における無線通信装置を適用した無線通信システムの構成例を示す図である。図５に示されるように、第２の実施の形態における無線通信装置を適用した無線通信システムは、同じ構成・機能を有する２つの同じ無線通信装置から構成される。図５では、無線通信装置として、無線装置Ａ４００と、無線装置Ｂ５００とが図示されている。
【００８０】
無線装置Ａ４００と無線装置Ｂ５００は、直交偏分波器であるＯＭＴ（Orthogonal mode transducer）６０１を経由し、同じ周波数帯域の無線伝送路を介して互いに接続されている。
【００８１】
本発明の第２の実施の形態における無線通信装置は、図５に示すように、無線送信部１０７、無線送信部１０８の代わりに、無線送信部４０７、無線送信部４０８を備える。また、本発明の第２の実施の形態における無線通信装置は、無線受信部１５１、無線受信部１５２の代わりに、無線受信部４５１、無線受信部４５２を備える。
【００８２】
無線送信部４０７、無線送信部４０８は、同一の周波数帯域を用いて、通信手段選択部１０９から入力されたデータを変調し、無線信号Ｄ６０１、無線信号Ｄ６０２としてＯＭＴ６０１に送信する。ＯＭＴ６０１は、無線信号Ｄ６０１とＤ６０２の内、直交関係にある２偏波、例えば、無線信号Ｄ６０１の垂直偏波と、無線信号Ｄ６０２の水平偏波とを結合し、直交周波数信号として、無線伝播路に送信する。
【００８３】
ＯＭＴ６０１は、無線伝播路から受信した直交周波数信号を、直交関係にある２偏波、例えば、垂直偏波と水平偏波に分離して、一方の偏波を無線信号Ｄ６０３として無線受信部４５１に、もう一方の偏波を無線信号Ｄ６０４として無線受信部４５２に送信する。無線受信部４５１と無線受信部４５２は、ＯＭＴ６０１から無線信号Ｄ６０３、若しくは無線信号Ｄ６０４を受信し、同一の周波数帯域にて復調する。
【００８４】
なお、上述した以外の構成は、第１の実施の形態のおける無線通信装置を適用した無線通信システムと同じであるので、同一の符号を付して説明を省略する。
【００８５】
［動作の説明］
第２の実施の形態における無線通信装置では、無線送信部４０７、無線送信部４０８、無線受信部４５１、及び無線受信部４５２の動作が第１の実施の形態の動作と異なる。
【００８６】
無線送信部４０７、無線送信部４０８は、同一の周波数帯域を用いて、通信手段選択部１０９から入力されたデータを変調し、無線信号Ｄ６０１、無線信号Ｄ６０２としてＯＭＴ６０１に送信する。
【００８７】
次に、ＯＭＴ６０１は、無線信号Ｄ６０１とＤ６０２の内、直交関係にある２偏波、例えば、無線信号Ｄ６０１の垂直偏波と無線信号Ｄ６０２の水平偏波とを、公知の技術により結合し、直交周波数信号として、無線伝播路に送信する。
【００８８】
ＯＭＴ６０１は、無線伝播路から受信した直交周波数信号を直交関係にある２偏波、例えば、垂直偏波と水平偏波に公知の技術により分離して、一方の偏波を無線信号Ｄ６０３とし、もう一方の偏波を無線信号Ｄ６０４とする。また、ＯＭＴ６０１は、無線信号Ｄ６０３を無線受信部４５１に、無線信号Ｄ６０４を無線信号Ｄ６０４として無線受信部４５２に送信する。
【００８９】
次に、無線受信部４５１と無線受信部４５２は、ＯＭＴ６０１から無線信号Ｄ６０３、若しくは無線信号Ｄ６０４を受信し、同一の周波数帯域にて復調する。
【００９０】
その他の動作については、第１の実施の形態の動作と同様である為、詳細の説明を省略する。
【００９１】
［効果の説明］
本実施の形態の無線通信システムは、２つの通信手段からの信号を１つの周波数帯域で送信する為、無線帯域の利用効率を高めることができる。また、本実施の形態の無線通信システムは、高い通信品質が求められるデータを２つの通信手段を用い、冗長性を持たせて伝播することができる為、特許文献１と同様、データ損失を抑えることができる。
【００９２】
［第３の実施の形態］
次に、本発明の第３の実施の形態について説明する。
【００９３】
［構成の説明］
図６は、本発明の第３の実施の形態における無線通信装置の構成例を示す図である。
【００９４】
（９）第３の実施の形態における無線通信装置の構成
まず、第３の実施の形態における無線通信装置の構成を説明する。
【００９５】
本発明の第３の実施の形態における無線通信装置は、図６のとおり、無線送信部１０７、無線送信部１０８、無線受信部１５１、及び無線受信部１５２の代わりに、無線送信部８５０−１〜ｎ、及び無線受信部９００−１〜ｎを備える。ここで、添え字のｎは、無線送信部、及び無線受信部の台数を意味する。
【００９６】
また、本発明の第３の実施の形態における無線通信装置は、図６に示すように、通信手段選択部１０９の代わりに、複数のキュー８０５−１〜ｋを備えた通信手段選択部８０９を備える。ここで、添え字のｋは、優先度情報ビットが示す優先度の数を意味する。例えば、優先度情報ビットが３ビットの場合、優先度は０から７の８つあるので、kは８となる。
【００９７】
通信手段選択部８０９と各無線送信部８５０−１〜ｎは、互いに接続される。
【００９８】
さらに、本発明の第３の実施の形態における無線通信装置は、図６に示すように、クラス判定部１０２の代わりに、クラス判定部８０２を備える。
【００９９】
（１０）第３の実施の形態における無線通信装置の構成する各部位の機能
第３の実施の形態における無線通信装置の構成する各部位の機能について説明する。
【０１００】
（１０−１）クラス判定部８０２の機能
クラス判定部８０２は、入力された伝送データに含まれる優先度情報ビットを出力する。
【０１０１】
（１０−２）通信手段選択部８０９の機能
通信手段選択部８０９は入力されたフレーム識別子付与データの優先度識別子を確認し、優先度毎に、フレーム識別子付与データをキューへ格納する。さらに、通信手段選択部８０９は、キューの内、所定の優先度より高い優先度のフレーム識別子付与データを格納しているキューのデータを全ての出力先に出力する。また、通信手段選択部８０９は、所定の優先度以下の優先度のフレーム識別子付与データを格納しているキューのデータを出力先の少なくとも一部に送信する。所定の優先度は、本実施の形態のユーザが、通信手段選択部８０９に設定する値である。
【０１０２】
（１０−３）無線送信部８５０−１〜ｎの機能
無線送信部８５０−１〜ｎは、入力された各データがそれぞれ所定のデータ量以下である場合に、優先度識別子に対応する優先度の高いデータから優先的に、予めフォーマットが定められた無線フレームに多重する。無線送信部８５０−１〜ｎは、多重した無線フレームに、公知の変調・符号化処理を行い、無線信号として出力する。
【０１０３】
（１０−４）無線受信部９００−１〜ｎの機能
無線受信部９００−１〜ｎは、入力された無線信号に対し、公知の復調・復号処理を行い、フレームデータとして出力する。
【０１０４】
なお、上述した以外の構成は、第１の実施の形態のおける無線通信装置を適用した無線通信システムと同じであるので、同一の符号を付して説明を省略する。
【０１０５】
［動作の説明］
まず、クラス判定部８０２は、ネットワーク網から入力された伝送データＤ１０１に含まれる優先度情報ビットをそのままフレーム識別子生成部１０３に送信する。
【０１０６】
次に、通信手段選択部８０９は、入力されたフレーム識別子付与データＤ１０４の優先度を優先度識別子から確認し、その優先度毎に、フレーム識別子付与データＤ１０４をキュー８０５−１〜ｋに格納する。例えば、通信手段選択部８０９は、フレーム識別子データＤ１０３の優先度が３であることを確認した場合には、キュー８０５−３にフレーム識別子付与データＤ１０４を格納するようにしてもよい。
【０１０７】
次に、通信手段選択部８０９は、所定の優先度より高い優先度のフレーム識別子付与データＤ１０４を無線送信部８５０−１〜ｎ全てに送信する。また、通信手段選択部８０９は、所定の優先度以下の優先度のフレーム識別子付与データＤ１０４を無線送信部８５０−１〜ｎの少なくとも一部に送信する。所定の優先度は、本実施の形態のユーザが、通信手段選択部８０９に設定する値である。
【０１０８】
次に、無線送信部８５０−１〜ｎは、通信手段選択部１０９から受信するデータが、それぞれ所定のデータ量以下である場合に、優先度識別子に対応する優先度の高いデータから優先的に、予めフォーマットが定められた無線フレームに多重する。そして、無線送信部８５０−１〜ｎは、多重した無線フレームに、公知の変調・符号化処理を行い、無線信号として無線伝送路に送信する。
【０１０９】
次に、対向する無線通信装置の無線受信部９００−１〜ｎは、無線信号に対し、公知の復調・復号処理を行い、フレームデータとして受信フレーム認識部１５３の識別子重複判定部５１に送信する。
【０１１０】
その他の動作については、第１の実施の形態の動作と同様である為、詳細の説明を省略する。
【０１１１】
［効果の説明］
本実施の形態の無線通信システムは、複数の通信手段を用い、多くの異なる周波数帯域を使用する為、高い通信品質が求められるデータについて、第一の実施の形態より、通信品質を保つ能力を高めることができる。
【０１１２】
［第４の実施の形態］
次に、本発明の第４の実施の形態について説明する。
【０１１３】
［構成の説明］
図７は、本発明の第４の実施の形態における無線通信装置を適用した無線通信システムの構成例を示す図である。第４の実施の形態における無線通信システムは、無線通信装置１０００とそれに対向する無線通信装置２０００とが、無線通信をする。
【０１１４】
無線通信装置１０００は、複数の通信手段１１００−１〜ｉと、クラス判定部１２００と、フレーム識別子付与部１３００と、通信手段選択部１４００とを備える。ここで、添え字のｉは、通信手段の数を意味する。
【０１１５】
クラス判定部１２００は、入力された伝送データの優先度を判定する。
【０１１６】
フレーム識別子付与部１３００は、入力された伝送データに対し、クラス判定部１２００が判定した優先度に対応する優先度識別子とシーケンス番号を少なくとも付与した送信データを生成する。
【０１１７】
通信手段選択部１４００は、送信データを、優先度識別子が示す優先度に応じて、通信手段１１００−１〜ｉの少なくとも一部に入力する。
【０１１８】
通信手段１１００−１〜ｉは、通信手段選択部１４００から複数の送信データが入力された場合には、送信データ毎に、そのデータ量が所定のデータ量以下であるかを確認する。通信手段１１００−１〜ｉは、各送信データが所定のデータ量以下であれば、優先度識別子に対応する優先度の高い送信データから優先的に、予めフォーマットが定められた無線フレームに多重し、所定の周波数帯域で、無線伝送路に送信する。ここで、上述の所定のデータ量、所定の周波数は、本実施の形態のユーザが、通信手段１１００−１〜ｉに設定する値である。
【０１１９】
無線通信装置２０００は、複数の通信手段２１００−１〜ｊと、受信フレーム認識部２２００を備える。ここで、添え字のｊは、通信手段の数を意味する。複数の通信手段２１００−１〜ｊは、それぞれ所定の周波数帯域で、対向する装置と無線通信を行う。
【０１２０】
受信フレーム認識部２２００は、各通信手段２１００−１〜ｊが受信した受信データ毎に、優先度識別子、シーケンス番号、及び伝送データを抽出し、優先度識別子毎に少なくとも伝送データ、及びシーケンス番号を一時保存する。受信フレーム認識部２２００は、優先度識別子毎に一時保存された伝送データをシーケンス番号順に出力する。
【０１２１】
[動作の説明]
まず、クラス判定部１２００は、入力された伝送データの優先度を判定する。
【０１２２】
次に、フレーム識別子付与部１３００は、入力された伝送データに対し、クラス判定部１２００が判定した優先度に対応する優先度識別子とシーケンス番号を少なくとも付与した送信データを生成する。
【０１２３】
さらに、通信手段選択部１４００は、送信データを、優先度識別子が示す優先度に応じて、通信手段１１００−１〜ｉの少なくとも一部に入力する。
【０１２４】
また、通信手段１１００−１〜ｉは、通信手段選択部１４００から複数の送信データが入力された場合には、送信データ毎に、そのデータ量が所定のデータ量以下であるかを確認する。通信手段１１００−１〜ｉは、各送信データが所定のデータ量以下であれば、優先度識別子に対応する優先度の高い送信データから優先的に、無線フレームに多重し、所定の周波数帯域で、無線伝送路に送信する。
【０１２５】
次に、複数の通信手段２１００−１〜ｊは、それぞれ所定の周波数帯域で、対向する装置と無線通信を行う。
【０１２６】
さらに、受信フレーム認識部２２００は、各通信手段２１００−１〜ｊが受信した受信データ毎に、優先度識別子、シーケンス番号、及び前記伝送データを抽出し、優先度識別子毎に少なくとも前記伝送データ、及びシーケンス番号を一時保存する。受信フレーム認識部２２００は、優先度識別子毎に一時保存された伝送データをシーケンス番号順に出力する。
【０１２７】
［効果の説明］
本実施の形態の無線通信装置は、高い通信品質が求められるデータと、低い通信品質が許容されるデータとを同時に送信する場合でも、無線帯域の利用効率を十分に高めることができる。本実施の形態の無線通信装置は、高い通信品質が求められるデータが所定のデータ量より少なければ、高い通信品質が求められるデータと低い通信品質が許容されるデータを１つの無線フレームに多重し、１つの周波数帯域で送信するからである。
【０１２８】
なお、上述した実施の形態は、その形態に限定されるものではなく、実施段階ではその要旨を逸脱しない範囲で種々変更可能である。
【符号の説明】
【０１２９】
５１    識別子重複判定部
５２    シーケンス制御部
５３    バッファ
１００    無線装置Ａ
１０１    送信部
１０２    クラス判定部
１０３    フレーム識別子生成部
１０４    フレーム識別子付与部
１０５    高優先度キュー
１０６    低優先度キュー
１０７    無線送信部
１０８    無線送信部
１０９    通信手段選択部
１５０    受信部
１５１    無線受信部
１５２    無線受信部
１５３    受信フレーム認識部
１５４    受信フレーム識別子保存テーブル
１５５    フレーム識別子削除部
２００    無線装置Ｂ
４００    無線装置Ａ
５００    無線装置Ｂ
６０１    ＯＭＴ
４０７    無線送信部
４０８    無線送信部
４５１    無線受信部
４５２    無線受信部
８０２    クラス判定部
８０５    キュー
８０９    通信手段選択部
８５０    無線送信部
９００    無線受信部
１０００    無線通信装置
１１００    通信手段
１２００    クラス判定部
１３００    フレーム識別子付与部
１４００    通信手段選択部
２０００    無線通信装置
２１００    通信手段
２２００    受信フレーム認識部
【図１】
2013197719.tif 000003
【図２】
2013197719.tif 000004
【図３】
2013197719.tif 000005
【図４】
2013197719.tif 000006
【図５】
2013197719.tif 000007
【図６】
2013197719.tif 000008
【図７】
2013197719.tif 000009